(57)【要約】【課題】照明エリア毎のスイッチと全ての照明を一度に点消灯するスイッチとを併設した壁スイッチを利用者が操作する際の誤操作を防止する。【解決手段】この照明制御システムは、照明器具７ａ〜７ｄの点消灯制御を行う制御用端末器６と、照明エリアＡ〜Ｄ毎のスイッチ５１〜５４と全ての照明を一度に点消灯するスイッチ５５と表示モニタとを併設した壁スイッチ５と、この壁スイッチ５の各スイッチ５１〜５５の操作に応じて壁スイッチ５の表示モニタと制御用端末器６とを制御する主操作盤１を備える。主操作盤１は、スイッチどうしの関係が設定されたアドレス設定テーブル１３と、壁スイッチ５の中のあるスイッチが操作された場合、制御用端末器６を制御して該当照明を点消灯させると共に、アドレス設定テーブル１３を参照して該当スイッチとほぼ同時にリフレッシュ処理すべきスイッチと対応する表示モニタをリフレッシュ処理する制御部１６とを具備する。【選択図】図１
2005050774.tif 000002
【特許請求の範囲】
【請求項１】
照明の点消灯を行う制御対象の第１子機と；
照明エリア毎に設けたスイッチと全ての照明を一度に点消灯するスイッチとを併設した監視対象の第２子機と；
前記第２子機の各スイッチに対応してそれぞれ設けられ、照明の状態を示す表示を行う制御対象の第３子機と；
前記スイッチどうしの関係が設定されたスイッチ連携設定記憶部と、前記第２子機のあるスイッチが操作された場合、該当照明を点消灯するように前記第１子機を制御すると共に、前記スイッチ連携設定記憶部を参照して該当スイッチと関係するスイッチに対応する第３子機に対して表示を照明の状態に一致させるよう制御する手段とを備えた親機と；
を具備したことを特徴とする照明制御システム。
【請求項２】
照明を行う光源と、前記光源の点消灯制御を行う制御用端末器と、前記光源の点消灯操作を行うために照明エリア毎に設けたスイッチと全ての照明を一度に点消灯するスイッチとを併設し、これらスイッチに対応してそれぞれ設けられた照明状態表示部とを備えた壁スイッチと、前記制御用端末器と前記壁スイッチに伝送線を介して接続され、前記壁スイッチの各スイッチの操作に応じて前記照明状態表示部と前記制御用端末器とを別個に制御する主操作盤とを備えた照明制御システムにおいて、
前記主操作盤は、
前記壁スイッチのスイッチどうしの対応関係が設定されたスイッチ連携設定記憶部と、
所定時間間隔で前記光源の点消灯状態と前記照明状態表示部の表示状態とを一致させるリフレッシュ処理を行う第１リフレッシュ手段と、
前記壁スイッチの中のあるスイッチが操作された場合、前記制御用端末器を制御して該当光源を点消灯させると共に、前記スイッチ連携設定記憶部を参照して該当スイッチとほぼ同時にリフレッシュ処理すべきスイッチと対応する照明状態表示部をリフレッシュ処理する第２リフレッシュ手段と
を具備したことを特徴とする照明制御システム。
【発明の詳細な説明】
【技術分野】
【０００１】
本発明は、例えば壁スイッチに該当照明の点消灯状態を表示する照明制御システムに関する。
【背景技術】
【０００２】
部屋の入口等に設けた壁スイッチの操作で部屋の天井等に設置した照明器具を制御する照明制御装置では、壁スイッチに設けたスイッチの脇に配置した照明モニタを主操作盤が制御して照明の点消灯状態を示すよう構成されている（例えば特許文献１参照）。
【０００３】
従来の照明制御装置の場合、照明モニタは、例えば赤色、緑色等の２色の発光ダイオード（以下赤ＬＥＤ,緑ＬＥＤと称す）であり、部屋に複数の照明器具が設置されている場合、複数の照明器具の中の一つでも照明器具が点灯している場合、主操作盤は、照明モニタの赤ＬＥＤを点灯させて、利用者に消灯を促すようにしている。例えば赤ＬＥＤの点灯は、該当スイッチを押すことで該当照明器具が消灯するという意味を持ち、緑ＬＥＤの点灯は、該当スイッチを押すことで該当照明器具が点灯するという意味を持つ。
【０００４】
また、部屋の規模が大きくなり、例えば複数の照明器具の取付位置に応じて照明エリアをいくつかに分けそれぞれの照明エリア毎にスイッチを設けた壁スイッチの場合、個々のスイッチの脇に照明モニタを設け、主操作盤は、それぞれのスイッチ毎に照明の点消灯を促すよう照明モニタの赤ＬＥＤあるいは緑ＬＥＤを点消灯させる制御を行っている。
【０００５】
このような照明制御装置の場合、壁スイッチのスイッチ操作に対して照明器具と表示モニタとをほぼ同時に点消灯制御する必要があるが、制御対象数が多い場合、監視タイミングの関係で、照明器具の点消灯状態と表示モニタのＬＥＤの照明状態とがずれる、つまり一致しなくなることがある。
このような表示モニタのずれが続くのは、最大、主操作盤が全ての照明器具、スイッチについてリフレッシュ処理を行う期間、例えば３０秒程度であり、操作を促す程度の表示モニタの場合、若干のタイムラグは、利用者に対する影響が小さく了解事項とされてきた。
【０００６】
ところが、近年では、スイッチのグループ化の要望、つまり複数の照明器具を一度に同時に点灯あるいは消灯させるスイッチを各照明器具のスイッチとは独立して設けてほしい、という要望がある。
【０００７】
例えば図４に示すように、部屋の複数の照明器具９１がエリア照明「Ａ」〜「Ｅ」等にエリア分けされており、各エリア毎に照明を点消灯させる複数のスイッチ「イ」〜「ホ」が壁スイッチ９２に設けられている場合、例えば壁スイッチ９２のスイッチ「ホ」を押して全ての照明エリア「Ｅ」の照明器具９１を全点灯させたときに、壁スイッチ９２のスイッチ「イ」〜「ニ」の全ての表示モニタが直ちに赤ＬＥＤを点灯させた状態にならず、例えばスイッチ「イ」の表示モニタのみ緑ＬＥＤが点灯したままの状態が残ることがある。この場合、利用者は不審に思い、照明エリア「Ａ」を点灯させようとしてスイッチ「イ」を押し、このためせっかく全灯した中の照明エリア「Ａ」の照明器具９１が消灯してしまうことになる。
【特許文献１】特許第３１１８８０８号公報（第２図）
【発明の開示】
【発明が解決しようとする課題】
【０００８】
このように従来の照明制御装置では、表示モニタのタイムラグは、さほど問題とならなかったが、複数のスイッチでいくつかの照明エリアを点消灯させる照明制御装置において、これらの照明エリアを一度に点消灯させるようなスイッチを壁スイッチに設ける場合に、利用者の意思とは相反する表示モニタの状態となることから、誤操作を招く恐れがあるという問題があった。
【０００９】
本発明はこのような課題を解決するためになされたもので、照明エリア毎に設けたスイッチと全ての照明を一度に点消灯するスイッチとを併設した監視用の子機（壁スイッチ）を利用者が操作する上で誤操作を防止することのできる照明制御システムを提供することを目的としている。
【課題を解決するための手段】
【００１０】
上記した課題を解決するために、本発明の照明制御システムは、照明の点消灯を行う制御対象の第１子機と；照明エリア毎に設けたスイッチと全ての照明を一度に点消灯するスイッチとを併設した監視対象の第２子機と；前記第２子機の各スイッチに対応してそれぞれ設けられ、照明の状態を示す表示を行う制御対象の第３子機と；前記スイッチどうしの関係が設定されたスイッチ連携設定記憶部と、前記第２子機のあるスイッチが操作された場合、該当照明を点消灯するように前記第１子機を制御すると共に、前記スイッチ連携設定記憶部を参照して該当スイッチと関係するスイッチに対応する第３子機に対して表示を照明の状態に一致させるよう制御する手段とを備えた親機と；を具備したことを特徴とする。
【００１１】
本発明の照明制御システムは、照明を行う光源と、前記光源の点消灯制御を行う制御用端末器と、前記光源の点消灯操作を行うために照明エリア毎に設けたスイッチと全ての照明を一度に点消灯するスイッチとを併設し、これらスイッチに対応してそれぞれ設けられた照明状態表示部とを備えた壁スイッチと、前記制御用端末器と前記壁スイッチに伝送線を介して接続され、前記壁スイッチの各スイッチの操作に応じて前記照明状態表示部と前記制御用端末器とを別個に制御する主操作盤とを備えた照明制御システムにおいて、前記主操作盤は、前記壁スイッチのスイッチどうしの対応関係が設定されたスイッチ連携設定記憶部と、所定時間間隔で前記光源の点消灯状態と前記照明状態表示部の表示状態とを一致させるリフレッシュ処理を行う第１リフレッシュ手段と、前記壁スイッチの中のあるスイッチが操作された場合、前記制御用端末器を制御して該当光源を点消灯させると共に、前記スイッチ連携設定記憶部を参照して該当スイッチとほぼ同時にリフレッシュ処理すべきスイッチと対応する照明状態表示部をリフレッシュ処理する第２リフレッシュ手段とを具備したことを特徴とする。
【００１２】
請求項１記載の発明では、第２子機のあるスイッチが操作された場合、該当照明を点消灯するように第１子機を制御すると共に、スイッチ連携設定記憶部を参照して該当スイッチと関係するスイッチに対応する第３子機に対して照明の状態に一致させるよう表示制御するので、第２子機のスイッチ操作に対してタイムラグがほとんど無く第３子機の表示が切り換わるようになり、照明エリア毎のスイッチと全ての照明を一度に点消灯するスイッチとを併設した第２子機の誤操作を防止することができる。
請求項２記載の発明では、壁スイッチの中のあるスイッチが操作された場合、主操作盤は、制御用端末器を制御して該当光源を点消灯させると共に、スイッチ連携設定記憶部を参照して該当スイッチとほぼ同時にリフレッシュ処理すべきスイッチと対応する照明状態表示部をリフレッシュ処理するので、壁スイッチのスイッチ操作に対してタイムラグがほとんど無く照明状態表示部の表示が切り換わるようになり、照明エリア毎に設けたスイッチと全ての照明を一度に点消灯するスイッチとを併設した壁スイッチを利用者が操作する際の誤操作を防止することができる。
【発明の効果】
【００１３】
以上説明したように請求項１記載の発明によれば、照明エリア毎のスイッチと全ての照明を一度に点消灯するスイッチとを併設した第２子機を利用者が操作する際の誤操作を防止することができる。
請求項２記載の発明によれば、照明エリア毎のスイッチと全ての照明を一度に点消灯するスイッチとを併設した壁スイッチを利用者が操作する際の誤操作を防止することができる。
【発明を実施するための最良の形態】
【００１４】
以下、本発明の実施の形態を図面を参照して詳細に説明する。図１は本発明に係る一つの実施の形態の照明制御システムの構成を示す図、図２は図１の照明制御システムにおいて、主操作盤に設定されている特別リフレッシュ対象スイッチのアドレス設定テーブルを示す図である。
同図に示すように、この照明制御システムは、親機としての主操作盤１と、この主操作盤１に2線の伝送線２を介して接続された部屋３毎の子機（監視対象の子機としての人感センサ４、制御対象の第１子機としての制御用端末器６、監視対象の子機としての壁スイッチ５など）とから構成されている。制御用端末器６には、照明エリアＡ〜Ｄ、Ｅ毎に点消灯される光源としての照明器具７ａ〜７ｄが接続されている。
【００１５】
壁スイッチ５には、それぞれのエリアＡ〜Ｄ、Ｅの照明器具７ａ〜７ｄを点消灯させるための押釦式のスイッチ５１〜５５（監視対象の第２子機）とそれぞれのスイッチに対応して設けられた照明状態表示部としての表示モニタ（制御対象の第３子機）が備えられている。表示モニタは、スイッチ５１〜５５の向かって左脇に設けられた赤色発光ダイオード５１ａ〜５５ａ（以下赤ＬＥＤ５１ａ〜５５ａと称す）と、スイッチ５１〜５５の向かって右脇に設けられた緑色発光ダイオード５１ｂ〜５５ｂ（以下緑ＬＥＤ５１ｂ〜５５ｂと称す）とからなる。赤ＬＥＤ５１ａ〜５５ａは、照明の点灯状態を示す点灯モニタである。緑ＬＥＤ５１ｂ〜５５ｂは、照明の消灯状態を示す消灯モニタである。
【００１６】
緑ＬＥＤ５１ｂは、第１エリアＡの照明器具７ａが消灯していることを示す。緑ＬＥＤ５２ｂは、第２エリアＢの照明器具７ｂが消灯していることを示す。緑ＬＥＤ５３ｂは、第３エリアＣの照明器具７ｃが消灯していることを示す。緑ＬＥＤ５４ｂは、第４エリアＤの照明器具７ａが消灯していることを示す。緑ＬＥＤ５５ｂは、第１〜第４エリアＡ〜Ｄを含む部屋３全体としてのエリアＥの照明器具７ａ〜７ｄが消灯していることを示す。
【００１７】
赤ＬＥＤ５１ａは、第１エリアＡの照明器具７ａが点灯していることを示す。赤ＬＥＤ５２ａは、第２エリアＢの照明器具７ｂが点灯していることを示す。赤ＬＥＤ５３ａは、第３エリアＣの照明器具７ｃが点灯していることを示す。赤ＬＥＤ５４ａは、第４エリアＤの照明器具７ｄが点灯していることを示す。赤ＬＥＤ５５ａは、第１〜第４エリアＡ〜Ｄを含む部屋３全体としてのエリアＥの照明器具７ａ〜７ｄが点灯していることを示す。なお、この壁スイッチ５のそれぞれのスイッチ５１〜５５は、アドレス設定テーブル１３により自身とほぼ同時にリフレッシュすべきスイッチをアドレスで対応付けて指定することができる。
【００１８】
スイッチ５１は、第１エリアＡの照明器具７ａを点消灯させるためのスイッチである。スイッチ５２は、第２エリアＢの照明器具７ｂを点消灯させるためのスイッチである。スイッチ５３は、第３エリアＣの照明器具７ｃを点消灯させるためのスイッチである。スイッチ５４は、第４エリアＤの照明器具７ｄを点消灯させるためのスイッチである。スイッチ５５は、第１〜第４の全てのエリアＥの照明器具７ａ〜７ｄを一度に点消灯させるためのスイッチである。
【００１９】
主操作盤１は、操作部１１、メモリ１４、表示部１５、制御部１６などを備えている。
操作部１１は、壁スイッチ５、人感センサ４、制御用端末器６などのアドレスをメモリ４のアドレス設定テーブル１３に設定するための入力操作などが行われたときに、そのアドレスデータを制御部１６に入力する。表示部１５は、操作部１１が操作された内容、入力されたアドレスデータ、各子機の監視状況などを表示する。
制御部１６は、上記各部を統括制御すると共に、壁スイッチ５の各スイッチ操作を監視、およびメモリ１４の各テーブルを参照して制御用端末器６、表示モニタの各ＬＥＤを制御する。
メモリ１４は、書換え可能な不揮発性の記憶素子、例えばシリコンディスクなどであり、スケジュール設定テーブル１２、スイッチ連携設定記憶部としてのアドレス設定テーブル１３などが記憶されている。スケジュール設定テーブル１２には、年月日時分の単位で照明をオン・オフするためのタイムスケジュールのデータが設定（記憶）されている。アドレス設定テーブル１３の内容について図２に詳述する。
【００２０】
図２に示すように、アドレス設定テーブル１３には、壁スイッチ５のそれぞれのスイッチ５１〜５５のアドレスと、この中のスイッチ５１〜５５が操作されたときにリフレッシュすべき他のスイッチ５１〜５５のアドレスとが対応付けて設定されている。
【００２１】
具体的には、［１−１０−１］というアドレスは、スイッチ５５を示している。［１−１−１］というアドレスは、スイッチ５１を示している。［１−１−２］というアドレスは、スイッチ５２を示している。［１−１−３］というアドレスは、スイッチ５３を示している。［１−１−４］というアドレスは、スイッチ５４を示している。
【００２２】
この例の場合、アドレス［１−１０−１］は、アドレス［１−１−１］、［１−１−２］、［１−１−３］、［１−１−４］と対応付けられている。アドレス［１−１−１］は、アドレス［１−１０−１］と対応付けられている。アドレス［１−１−２］は、アドレス［１−１０−１］と対応付けられている。アドレス［１−１−３］は、アドレス［１−１０−１］と対応付けられている。アドレス［１−１−４］は、アドレス［１−１０−１］と対応付けられている。
このアドレス設定テーブル１３は、主操作盤１の操作部１１を操作することによりデータの入力、更新が可能である。
【００２３】
制御部１６は、所定時間間隔で制御用端末器６に対して負荷の状態、つまり照明器具７ａ〜７ｄの点消灯状態を確認する。制御部１６は、この確認結果に応じて表示モニタの表示状態を照明器具７ａ〜７ｄの点消灯状態に一致させるリフレッシュ処理を行う。
制御部１６は、壁スイッチ５の、あるスイッチ（５１〜５５のいずれか）が操作された場合、アドレス設定テーブル１３を参照して、通常のリフレッシュ処理とは異なり、該当スイッチとほぼ同時にリフレッシュ処理すべきスイッチと対応関係にある表示モニタをリフレッシュ処理する割込リフレッシュ処理を行う。
つまり、制御部１６は、スイッチ５１〜５５のうちいずれかが操作された場合、該当照明を点消灯するように制御用端末器６を制御すると共に、アドレス設定テーブル１３を参照して該当スイッチと関係するスイッチに対応する表示モニタに対して表示を照明の状態に一致させるよう制御する。
【００２４】
以下、図３のフローチャートを参照してこの照明制御システムの動作を説明する。
主操作盤１の電源を投入すると、制御部１６は、イニシャライズ処理(イニシャル処理)を実行する（Ｓ１０１）。
イニシャル処理の後、制御部１６は、以下のメイン処理を実行する。
メイン処理では、制御部１６は、まず、操作スイッチまたは液晶画面のタッチパネル信号の入力をチェックする（Ｓ１０２）。
続いて、制御部１６は、操作スイッチまたは液晶画面のタッチパネルから入力された信号を解析すると共にその解析結果に応じた処理を行う（Ｓ１０３）。
処理後、制御部１６は、表示処理を実行することで、表示部１５の液晶画面に処理結果を表示する（Ｓ１０４）。
続いて、制御部１６は、スケジュール設定テーブル１２を参照して割付データを読み出し、また、スケジュール設定テーブル１２に対する設定データの記憶処理を実行する（Ｓ１０５）。
その後、制御部１６は、タイムスケジュール制御処理・手動操作制御処理、伝送線２を介しての壁スイッチ５等の監視対象の子機からの操作信号の入力に応じた照明の制御処理を実行する（Ｓ１０６）。
照明制御処理後、制御部１６は、伝送信号の入力・出力処理を行い（Ｓ１０７）、最後に全部屋３の中のスイッチ2個分のＬＥＤ表示のリフレッシュ処理を実行する（Ｓ１０８）。リフレッシュ処理とは、対象スイッチに対応する照明器具の点消灯状態と表示モニタの表示状態とを一致させる処理である。
【００２５】
この一回のメイン処理（Ｓ１０１〜Ｓ１０８の処理）は、おおよそ50msec〜100msecで実行されるが、画面操作に対する応答が処理が遅いと使用者から苦情がくるため、画面操作関連の処理については、タイムシェアリングにより優先的に処理を実行するするようプログラムされている。リフレッシュ処理については、従来さほど問題にされなかったためゆっくり処理する対象とされてきた。
【００２６】
主操作盤１には、壁スイッチ５のスイッチとして、最大1024個が接続可能であり、一回のメイン処理で2個のスイッチをリフレッシュした場合、全てのスイッチをリフレッシュするのにメイン処理を512回実行することになる。１回のメイン処理を、例えば比較的速い処理時間の50msecで実行した場合、50×512=25600msec=25秒かかることになる。
【００２７】
しかしながら、この例のように通常の個別のスイッチ５１〜５４以外に、部屋全体の照明を一度に点消灯させるスイッチ５５を壁スイッチ５に設けた場合、例えばスイッチ５４のみをオンした状態（表示モニタは赤ＬＥＤ５４aが点灯した状態）でスイッチ５５を押すと、主制御盤１の制御部１６は、この部屋３の照明器具７ａ〜７ｄを全消灯するように制御用端末器６を制御すると共に、スイッチ５５に対応する表示モニタを赤ＬＥＤ５４aから緑ＬＥＤ５５ｂへ切り替える制御を行う。
【００２８】
このため、部屋３の照明は、瞬時に消灯するものの、従来のリフレッシュ処理対象のスイッチ５４に対応する表示モニタ、つまり赤ＬＥＤ５４aは、最大２５秒間、点灯したまま、緑ＬＥＤ５４ｂへは切り替わらないため、使用者は不審に思い、スイッチ５４を押してしまい、この操作によって該当する照明器具７ｄが点灯してしまうことになる。この場合、せっかく消灯させた照明が点いてしまったため、使用者はスイッチ５４を再度押して、照明器具７ｄを消すことになる。またこの逆にスイッチ５５を押して全点灯させるときも同様の誤操作が生じる可能性がある。
【００２９】
そこで、この照明制御システムでは、主制御盤１の制御部１６がメイン処理を行う際に、壁スイッチ５の中のあるスイッチ（５１〜５５のいずれか）が操作された場合、制御部１６は、該当照明器具（７ａ〜７ｄ）を点消灯するように制御用端末器６を制御すると共に、アドレス設定テーブル１３を参照して該当スイッチとほぼ同時にリフレッシュ処理すべきスイッチに対応する表示モニタを割り込みでリフレッシュ処理する。
【００３０】
具体的には、例えばスイッチ５５が操作された場合、制御部１６は、アドレス設定テーブル１３を参照して、スイッチ５５のアドレス［１−１０−１］と連携関係にあるアドレス［１−１−１］、［１−１−２］、［１−１−３］、［１−１−４］を読み出して、これらのアドレスのスイッチ５１〜５４と対応する表示モニタ（赤ＬＥＤ５１ａ〜５５ａ、緑ＬＥＤ５１ｂ〜５５ｂ）を直ちにリフレッシュ処理する。
これにより、操作されたスイッチ５５に関係のあるスイッチ５１〜５４の表示モニタが直ちに切り替わるので、使用者が不審に思うことが無くなり、誤操作を防止できる。
【００３１】
このようにこの実施の形態の照明制御システムによれば、主操作盤１のメモリ１４にアドレス設定テーブル１３を設定したことで、壁スイッチ５のいずれかのスイッチが操作された場合、制御部１６は、アドレス設定テーブル１３を参照して、操作されたスイッチと表示モニタ、及びこれに関連するスイッチと表示モニタを直ちにリフレッシュ処理するので、スイッチ操作されて点消灯した照明の状態と表示モニタのＬＥＤ表示がほとんどタイムラグ無く一致するようになり、照明エリアＡ〜Ｄ毎のスイッチ５１〜５４と全ての照明を一度に点消灯するスイッチ５５とを併設した壁スイッチ５を利用者が操作する際の誤操作を防止することができる。
【図面の簡単な説明】
【００３２】
【図１】照明制御システムの構成を示す図。
【図２】図１の照明制御システムにおいて、主操作盤に設定されている特別リフレッシュ対象スイッチのアドレス設定テーブルを示す図。
【図３】図１の照明制御システムにおいて、主操作盤の制御部が行う処理を示すフローチャート。
【図４】複数の照明器具の配置場所に応じて照明エリアをいくつかに区分し、照明エリア毎にスイッチを設けた壁スイッチの例を示す図。
【符号の説明】
【００３３】
１…主制御盤、２…伝送線、３…部屋、４…人感センサ、５…壁スイッチ、６…制御用端末器、７ａ-７ｄ…照明器具、１１…操作部、１２…スケジュール設定テーブル、１３…アドレス設定テーブル、１４…メモリ、１５…表示部、１６…制御部、５１-５５…スイッチ、５１ａ-５５ａ…赤色発光ダイオード（赤ＬＥＤ）、５１ｂ-５５ｂ…緑色発光ダイオード（緑ＬＥＤ）。
【図１】
2005050774.tif 000003
【図２】
2005050774.tif 000004
【図３】
2005050774.tif 000005
【図４】
2005050774.tif 000006